【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
建造物の継ぎ目を少なくとも部分的にカバーし、定着構造（４）によって建造物（２）の構成部分に取り付けることができる少なくとも１つのカバー要素（３）を有する、前記建造物（２）の２つの構成部分間の前記建造物の継ぎ目に架橋するための移行部構造体（１）であって、
前記定着構造（４）上で前記少なくとも１つのカバー要素（３）が選択的に支持されるように、前記定着構造（４）が構成されている移行部構造体（１）において、
スペーサ（８）および締付け手段当接片（９）が全体として保持アンカー（６）を形成し、
前記定着構造（４）が、互いに離間して配置された複数の保持アンカー（６）を有し、前記保持アンカー（６）の上正面の領域の前記カバー要素（３）が前記定着構造（４）上に載るように、前記カバー要素（３）の選択的な支持が実現される、
ことを特徴とする、移行部構造体（１）。
【請求項２】
請求項１に記載の移行部構造体（１）であって、
前記定着構造が複数の支持ポイントを有し、前記支持ポイントのうちの少なくとも１つが、他の支持ポイントから独立して、その位置に適合および／または配向され得る、
ことを特徴とする移行部構造体（１）。
【請求項３】
請求項１または２に記載の移行部構造体（１）であって、
前記カバー要素（３）が、少なくとも１つのねじ連結部（７）によって前記定着構造（４）に取り外し可能に取り付けられ、前記定着構造（４）は、それぞれのねじ連結部（７）の領域における前記カバー要素（３）の厚さの少なくとも３倍に対応するグリップ長さを少なくとも１つのねじ連結部（７）が有するように、構成される、
ことを特徴とする移行部構造体（１）。
【請求項４】
請求項１から３のいずれか１項に記載の移行部構造体（１）であって、
少なくとも１つのねじ連結部（７）が、ねじ付きボルト（７ａ）および少なくとも１つの締付け手段（７ｂ）を有する、
ことを特徴とする移行部構造体（１）。
【請求項５】
請求項４に記載の移行部構造体（１）であって、
前記ねじ付きボルト（７ａ）が、規格に適合したねじが切られた部品である、
ことを特徴とする移行部構造体（１）。
【請求項６】
請求項１から５のいずれか１項に記載の移行部構造体（１）であって、
少なくとも１つの締付け手段（７ｂ）が、ナット、ボルトヘッド、および／または前記定着構造（４）または前記カバー要素（３）上のねじ山として形成される、
ことを特徴とする移行部構造体（１）。
【請求項７】
請求項１から６のいずれか１項に記載の移行部構造体（１）であって、
前記定着構造（４）が、前記カバー要素（３）から離れた方に面した側で、ナットまたはボルトヘッドとして形成された締付け手段（７ｂ）のための締付け手段当接片（９）を有する、
ことを特徴とする移行部構造体（１）。
【請求項８】
請求項１から７のいずれか１項に記載の移行部構造体（１）であって、
前記定着構造（４）が、前記カバー要素（３）と前記締付け手段当接片（９）との間で定められた距離を確保するスペーサ（８）を有する、
ことを特徴とする移行部構造体（１）。
【請求項９】
請求項１から８のいずれか１項に記載の移行部構造体（１）であって、
前記スペーサ（８）が、管状に、好ましくは四角い管として構成される、
ことを特徴とする移行部構造体（１）。
【請求項１０】
請求項１から９のいずれか１項に記載の移行部構造体（１）であって、
前記定着構造（４）が、前記建造物（２）の構成部分の補強材に直接取り付けられ得るように構成されている、
ことを特徴とする移行部構造体（１）。
【請求項１１】
請求項１から１０のいずれか１項に記載の移行部構造体（１）であって、
前記定着構造（４）が、構成部分内で定着するための少なくとも１つのアンカー装置（１０）を有しており、前記アンカー装置（１０）が、好ましくはセットボルトとして構成される、
ことを特徴とする移行部構造体（１）。
【請求項１２】
請求項１から１１のいずれか１項に記載の移行部構造体（１）であって、
前記移行部構造体（１）が、少なくとも１つのアクセス導管（１１）を有しており、前記アクセス導管（１１）が、前記定着構造（４）から前記建造物（２）の一端まで延在している、
ことを特徴とする移行部構造体（１）。
【請求項１３】
請求項１から１２のいずれか１項に記載の移行部構造体（１）であって、
前記定着構造（４）が、前記建造物の継ぎ目に平行に配列された、保持アンカー（６）の少なくとも１つの列を有し、好ましくは、その後ろに、同じく前記建造物の継ぎ目に同じく平行に配列された、保持アンカー（６）のさらなる列を有する、
ことを特徴とする移行部構造体（１）。
【請求項１４】
請求項１から１３のいずれか１項に記載の移行部構造体（１）であって、
前記移行部構造体（１）が、前記カバー要素（３）の下にそれから離間して、好ましくは、前記カバー要素（３）に対して鋭角で前記建造物の継ぎ目に向かって下向きに、前記定着構造（４）に配置された排水要素（１２）を有する、
ことを特徴とする移行部構造体（１）。
【請求項１５】
請求項１４に記載の移行部構造体（１）であって、
前記排水要素（１２）が、前記建造物の継ぎ目に面する側において、この側が滴下縁部を形成するように下向きに折り曲げられた金属板として構成される
ことを特徴とする移行部構造体（１）。
【請求項１６】
請求項１４または１５に記載の移行部構造体（１）であって、
金属板として構成される前記排水要素（１２）が、前記建造物の継ぎ目から離れた方に面した側において上向きに折り曲げられ、好ましくは前記カバー要素（３）の正面に接触する、
ことを特徴とする移行部構造体（１）。
【請求項１７】
請求項１４から１６のいずれか１項に記載の移行部構造体（１）であって、
前記排水要素（１２）が、前記定着構造（４）に柔軟性をもって取り付けられる、
ことを特徴とする、移行部構造体（１）。
【請求項１８】
請求項１４から１６のいずれか１項に記載の移行部構造体（１）であって、
前記排水要素（１２）が、前記建造物（２）上で柔軟性をもって支持される、
ことを特徴とする移行部構造体（１）。
【請求項１９】
請求項１４から１８のいずれか１項に記載の移行部構造体（１）であって、
前記定着構造（４）の前記少なくとも１つの保持アンカー（６）が、前記排水要素（１２）を貫通しており、この領域に、柔軟性のある耐水封止部が配置される、
ことを特徴とする移行部構造体（１）。
【請求項２０】
請求項１から１９のいずれか１項に記載の移行部構造体（１）であって、
前記移行部構造体（１）が、前記カバー要素（３）の下に、封止部、特にエラストマバンドを有する、
ことを特徴とする移行部構造体（１）。
【請求項２１】
請求項１から２０のいずれか１項に記載の移行部構造体（１）であって、
前記カバー要素（３）がフィンガープレートとして構成される、
ことを特徴とする移行部構造体（１）。
【請求項２２】
請求項１から２１のいずれか１項に記載の移行部構造体（１）であって、
前記移行部構造体（１）が架橋しなくてはならない前記建造物の継ぎ目に対して対向している２つの定着構造（４）であって、対向するカバー要素（３）を伴う２つの定着構造（４）を、前記移行部構造体（１）が有し、前記カバー要素（３）が、好ましくは、噛み合うフィンガープレートとして構成される、
ことを特徴とする移行部構造体（１）。
【請求項２３】
請求項１から２２のいずれか１項に記載の移行部構造体（１）であって、
前記移行部構造体（１）が、モジュール式であり、それぞれが車の道路（５）よりも狭い複数の隣接したカバー要素（３）および／または排水要素（１２）を有しており、好ましくは、少なくとも隣接した排水要素（１２）間に、封止部が配置される、
こと特徴とする移行部構造体（１）。
【請求項２４】
請求項１から２３のいずれか１項に記載の移行部構造体（１）であって、
前記移行部構造体（１）は、前記少なくとも１つのカバー要素（３）が少なくとも１つのねじ連結部（７）によって少なくとも１つの定着構造（４）に取り外し可能に取り付けられる、製造施設において予め組み立てられる組立体として構成され、前記組立体が全体として、好ましくは、輸送および／または取付け装置を利用して、前記定着構造（４）を介して前記構成部分に取り付けられ、特に前記構成部分の中にコンクリートで固められ得る、
ことを特徴とする移行部構造体（１）。